(57)【特許請求の範囲】
【請求項１】
集合玄関機に対応して設けたテレビカメラの映像をテレビ共聴設備に重畳して各住戸に設けた制御器を介して居室インターホンのモニタに送出して表示させるテレビインターホン設備に於いて、
前記制御器に、
インターホン用テレビ信号から復調された映像信号のレベルを監視して正常か異常かを判定する映像信号判定部と、
前記映像信号判定部の判定結果を表示する表示部と、
を備えたことを特徴とするテレビインターホン設備。
【請求項２】
請求項１記載のテレビインターホン設備に於いて、前記映像信号判定部は、復調された複合映像信号中の同期信号を検出して所定の閾値レベルと比較し、所定の規格値内にあれば正常と判定し、規格値外であれば異常と判定することを特徴とするテレビインターホン設備。
【請求項３】
請求項１記載のテレビインターホン設備に於いて、前記制御器は、更に、
前記居室インターホンに供給しているＤＣ電源電圧を監視して正常か異常かを判定するＤＣ電圧判定部と、
前記ＤＣ電圧判定部の判定結果を判定する表示部と、
を備えたことを特徴とするテレビインターホン設備。
【請求項４】
請求項１記載のテレビインターホン設備に於いて、前記制御器は、更に、
前記共聴テレビ信号のＲＦレベルを測定するＲＦ測定部と、
前記ＲＦ測定部の測定結果を前記居室インターホンのモニタに文字情報として又は前記制御部に表示させる点検制御部と、
を備えたことを特徴とするテレビインターホン設備。
【請求項５】
請求項４記載のテレビインターホン設備に於いて、前記ＲＦ測定部は、前記共聴テレビ信号のＡＧＣ回路の制御に使用しているＡＧＣ電圧を測定し、予め定めた変換テーブルの参照でＡＧＣ電圧をＲＦレベルに変換することを特徴とするテレビインターホン設備。
【請求項６】
集合玄関機に対応して設けたテレビカメラの映像をテレビ共聴設備に重畳して各住戸に設けた制御器を介して居室インターホンのモニタに送出して表示させ、
前記制御器に、インターホン用テレビ信号から復調された映像信号のレベルを監視して正常か異常かの状態を判定表示する映像信号判定部、前記居室インターホンに供給しているＤＣ電源電圧を監視して正常か異常かの状態を判定表示するＤＣ電圧判定部、及び前記共聴テレビ信号のＲＦレベルを測定するＲＦ測定部及び試験スイッチを設け、前記居室インターホンのモニタが映らないときの故障箇所を特定するテレビインターホン設備の点検方法に於いて、
前記制御器が、
第１に、前記映像信号及び前記ＤＣ電源電圧を監視して、前記映像信号及び／又は前記ＤＣ電源電圧の異常を判定した際に前記居室インターホンのモニタに異常発生を表示し、
第２に、前記試験スイッチの操作により前記ＲＦレベルを測定し、映像信号判定結果及びＤＣ電源電圧判定結果と共に前記測定したＲＦレベルを前記居室インターホンのモニタに表示する、ことを特徴とするテレビインターホン設備の点検方法。
【発明の詳細な説明】
【０００１】
【発明の属する技術分野】
本発明は、集合玄関に対応して設けたテレビカメラの映像をテレビ共聴設備に重畳して各住戸に設けた制御器を介して居室インターホンのモニタに送出して表示させるテレビインターホン設備及びその点検方法に関する。
【０００２】
【従来技術】
従来の集合住宅用テレビインターホン設備としては、特開昭５０−６９９１９号に示すものが考えられている。このテレビインターホン設備は、集合玄関に設けたテレビカメラの映像を各住戸まで配設されたテレビ共聴設備に重畳して、各住戸のインターホンのモニタに送出して表示させている。
【０００３】
テレビカメラの映像信号は、変調器で大抵の住戸の人が通常の居室テレビで見ることができない特定のチャンネルまたは任意の空チャンネルの信号に変換してテレビ共聴設備に混合し、各住戸の制御器はテレビ共聴設備からのテレビカメラのテレビ信号を映像信号に変換してモニタに表示させる。
【０００４】
インターホンの音声通話は、専用の通話信号線を介して住戸を呼び出すと共に音声通話が行える。集合玄関機から住戸を呼び出すと、通話制御線を介して住戸呼出信号を送出し、住戸の呼出音を鳴動すると共に、制御器を介してモニタを駆動してテレビカメラの映像を表示させて来訪者を確認する。これによって住戸の人は呼出音を受けて受話器を取ればモニタの来訪者の映像を見ながら話すことができる。
【０００５】
なお、テレビカメラの映像はテレビ共聴設備を介して各住戸まで常時送られており、通話信号線の呼出信号により、制御器が呼び出された住戸のモニタのみを駆動して来訪者を見ることができるようになっている。また、現在の住戸側のテレビインターホン設備としては、通話用の受話器とカメラ映像表示用のモニタは同一筐体に設けられ、居室インターホンなどと呼ばれている。
【０００６】
【発明が解決しようとする課題】
しかしながら、このような従来のテレビインターホン設備においては、何らかの原因で集合玄関機から呼び出されたにも係わらずモニタにテレビカメラの映像が表示されなかった場合に、そのテレビインターホン設備の故障原因が何処にあるのか判明しづらいことが考えられる。
【０００７】
つまり、各住戸にある居室インターホンの故障なのか、テレビ共聴設備の故障なのか、若しくはカメラ設備の故障なのか等の種々の原因を判定する必要がある。
【０００８】
さらに、このような故障時や設備の設置時に信号を測定する特定の測定器を現場に持っていき接続して判定する必要があり、原因の判明を迅速に行うことができない問題もある。
【０００９】
本発明は、簡単な構成で設備の状態を容易に判別し故障時の原因を探し易くするテレビインターホン設備及び点検方法を提供することを目的とする。
【００１０】
【課題を解決するための手段】
この目的を達成するため本発明は次のように構成する。本発明は、集合玄関機に対応して設けたテレビカメラの映像をテレビ共聴設備に重畳して各住戸に設けた制御器を介して居室インターホンのモニタに送出して表示させるテレビインターホン設備であって、各住戸の制御器に、インターホン用テレビ信号から復調された映像信号のレベルを監視して正常か異常かを判定する映像信号判定部と、映像信号判定部の判定結果を表示する表示部とを設けたことを特徴とする。
【００１１】
これにより制御器の映像信号の判定結果が正常であれば、制御器まではカメラの映像信号が正常に来ており、居室インターホンの故障であることが判明する。また制御器の映像信号が異常であれば、居室インターホンではなく、制御器を含めた居室インターホンよりも前段のテレビ共聴設備側に故障であることが判明する。また異常時の判定以外に、施工時に正しく映像信号が得られているかも容易に判明できる。
【００１２】
ここで映像信号判定部は、復調された複合映像信号中の同期信号を検出して所定の閾値レベルと比較し、所定の規格値内にあれば正常と判定し、規格値外であれば異常と判定する。制御器における映像信号のレベルを監視しても、カメラから映し出される映像の明るさによりレベルが変化するので正確な判別ができない。そこで複合映像信号中の同期信号を検出して同期信号のレベルを規定の閾値レベルと比較して判別する。
【００１３】
本発明のテレビインターホン設備は、制御器は、更に、居室インターホンに供給しているＤＣ電源電圧を監視して正常か異常かを判定するＤＣ電圧判定部と、ＤＣ電圧判定部の判定結果を判定する表示部を設けたことを特徴とする。これによりＤＣ電源が異常であれば、モニタに映像が表示されないと原因が制御器にあることが判明する。勿論、ＤＣ電源電圧の異常により制御器自体も動作していない。
【００１４】
本発明のテレビインターホン設備は、制御器は、更に、テレビ共聴信号のＲＦレベルを測定するＲＦ測定部と、試験スイッチを操作した際に、ＲＦ測定部の測定結果を、映像信号判定部及びＤＣ電圧判定部から読込んだ判定結果と共に居室インターホンのモニタに文字情報として表示させる点検制御部とを設けたことを特徴とする。
【００１５】
ここで、ＲＦ測定部は、共聴テレビ信号のＡＧＣ回路の制御に使用しているＡＧＣ電圧を測定し、予め定めた変換テーブルの参照でＡＧＣ電圧をＲＦレベルに変換する。
【００１６】
これにより制御器の映像信号が異常としてモニタに映らない故障箇所が居室インターホンより前段にあることが判明した場合、ＲＦ信号が正常であれば少なくともテレビカメラの故障と判明し、またＲＦ信号が異常であればテレビ共聴設備の故障と判明する。
【００１７】
また本発明は、集合玄関機に対応して設けたテレビカメラの映像をテレビ共聴設備に重畳して各住戸に設けた制御器を介して居室インターホンのモニタに送出して表示させ、制御器に、インターホン用テレビ信号から復調された映像信号のレベルを監視して正常か異常かの状態を判定表示する映像信号判定部、居室インターホンに供給しているＤＣ電源電圧を監視して正常か異常かの状態を判定表示するＤＣ電圧判定部、及び共聴テレビ信号のＲＦレベルを測定するＲＦ測定部及び試験スイッチを設け、居室インターホンのモニタが映らないときの故障箇所を特定するテレビインターホン設備の点検方法を提供する。
【００１８】
この点検方法は、次の手順に従って行われる。第１に、映像信号及びＤＣ電源電圧を監視して、映像信号及び／又はＤＣ電源電圧の異常を判定した際に居室インターホンのモニタに異常発生を表示する。第２、前記試験スイッチの操作により前記ＲＦレベルを測定し、映像信号判定結果及びＤＣ電源電圧判定結果と共に前記測定したＲＦレベルを前記居室インターホンのモニタに表示する。
【００１９】
【発明の実施の形態】
図１は本発明によるテレビインターホン設備の設備構成を示した説明図である。図１において、テレビインターホン設備１は、集合玄関Ａに設置された集合玄関機３、テレビカメラ４、カメラコントロールユニット（ＣＣＵ）５、映像用変調器６、管理室Ｂに設置された管理室親機１４とインターホン制御器１５、更に居室Ｃに設置された制御器９、及びモニタ１１付きの居室インターホン１０で構成される。
【００２０】
テレビインターホン設備１は集合玄関Ａに設けたテレビカメラ４の映像をテレビ共聴設備２に重畳し、各住戸の居室インターホン１０のモニタ１１に表示させるようにしている。
【００２１】
テレビ共聴設備２は、ＵＨＦアンテナ１６、ＶＨＦアンテナ１７、混合器１９、ブースタ２０、分配器２１、各住戸の居室Ｃに設けられた直列ユニット８で構成されている。テレビインターホン設備１の集合玄関Ａに設けているテレビカメラ４からの映像は、同軸ケーブル７を介して混合器１８でテレビ共聴設備２に重畳され、居室Ｃに設けている制御器９で共聴用のテレビ信号とテレビカメラ４の映像信号を分離し、テレビカメラ４の映像信号を復調してテレビ信号として出力し、居室インターホン１０のモニタ１１に表示される。
【００２２】
更にテレビインターホン設備１を詳細に説明すると次のようになる。集合玄関Ａに設けたテレビカメラ４は、カメラコントロールユニット５により制御されている。カメラコントロールユニット５はテレビカメラ４に対しＤＣ電源電圧と同期信号を供給する。尚、カメラコントロールユニット５はテレビカメラ４に一体化されていても良い。
【００２３】
テレビカメラ４は、常時、撮影した映像信号を含む複合映像信号を出力し、この複合映像信号は映像用変調器６によって、例えばＵＨＦ帯より上段の通常、居室のテレビ１２で見ることのできない特定のチャンネルもしくはＵＨＦ帯の任意の空きチャンネルのテレビ信号に変換されて、同軸ケーブル７からテレビ共聴設備２に重畳される。
【００２４】
テレビ共聴設備２に重畳されたテレビカメラ４からのテレビ信号は居室Ｃの制御器９で復調され、常時、居室インターホン１０のモニタ１１に供給されている。モニタ１１は、集合玄関機３からの居室インターホン１０の管理室Ｂのインターホン制御器１５を経由した通話信号線による呼出信号を受けた際に駆動され、来訪者の映像を映し出す。なお居室インターホン１０に対しては玄関子機１３が設けられている。
【００２５】
図２は、図１のテレビインターホン設備１の居室Ｃに設置された制御器９の実施形態を示した回路ブロック図である。
【００２６】
図２において、制御器９はＲＦ入力端子２２を持ち、ここに図１の直列ユニット８からの同軸ケーブルを接続している。ＲＦ入力端子２２の出力は分配器２３に与えられ、ＲＦ出力端子２４を通って居室テレビ１２に対しテレビ共聴設備２のテレビ信号を供給している。
【００２７】
また分配器２３で分配されたテレビ信号はバンドパスフィルタ２５から検波器３５までの回路系により復調され、テレビカメラ４からの複合映像信号を再生し、モニタ出力端子３７から居室インターホン１０のモニタ１１に複合映像信号を出力している。
【００２８】
このテレビカメラからの複合映像信号に対する復調回路は、チューナ及び選局回路部、映像中間周波増幅回路部、映像検波回路部で構成される。まずチューナ及び選局回路部は、バンドパスフィルタ２５、アッテネータ２６、広帯域アンプ２７、ＡＧＣ回路２８、混合器２９、局部発振器３０で構成される。
【００２９】
バンドパスフィルタ２５で帯域制限された複数チャンネルのＲＦ信号（高周波信号）は、アッテネータ２６で規定レベルに減衰された後、広帯域アンプ２７で増幅され、更にＡＧＣ回路２８で入力レベルが変化しても出力レベルを一定に保つＡＧＣ制御を行った後、混合器２９に入力される。
【００３０】
混合器２９には局部発振器３０よりテレビインターホンのＵＨＦ帯の特定の割当チャンネルに対応した局部発振周波数信号が入力し、ＡＧＣ回路２８からのテレビＲＦ信号との混合により映像中間周波数信号に変換して出力する。
【００３１】
映像中間周波数信号はバンドパスフィルタ３２で帯域制限された後、中間増幅器３３で増幅され、更にＳＡＷフィルタ３４で帯域制限し、検波回路３５に出力される。検波回路３５は、映像中間周波数信号を包絡線検波あるいは同期検波などによって複合映像信号に戻す。
【００３２】
検波回路３５からの複合映像信号は、図３に示す信号波形を持つ。尚、図３は複合映像信号の水平同期信号の間の波形を示している。検波回路３５からの複合映像信号は切替回路３６を介してモニタ出力端子３７から居室インターホン１０のモニタ１１に供給されている。
【００３３】
また制御器９は電源回路４２を持ち、商用ＡＣ１００Ｖから規定のＤＣ電源電圧を作り出し、ＤＣ電源４３により制御器９自身の各回路部に対しＤＣ電源電圧を供給すると共に、居室インターホン１０及びモニタ１１に対しＤＣ電源電圧を供給している。
【００３４】
このような制御器９の構成に加え本発明にあっては、図１の集合玄関機３からの呼出しにも関わらずモニタ１１にテレビカメラ４の映像が表示されなかった場合に故障原因の判定が容易にできるようにするための回路部を備える。
【００３５】
この故障原因を判別するため制御器９には、まず映像信号判別部３８が設けられる。映像信号判別部３８は集合玄関のテレビカメラ４から送られてくる映像信号のレベルを測定し、正常なレベルが得られているか否かの判定結果を表示する。
【００３６】
制御器９における映像信号のレベル判定の方法は、映像信号自体のレベルを監視しようとしてもテレビカメラからの映像信号のレベルが明るさによって変化するため正確に判別することはできない。そこで本発明にあっては、制御器９で再生された複合映像信号の中の同期信号を検出して判別する。
【００３７】
このため映像信号判別部３８に対しては、検波回路３５で検波された図３に示す複合映像信号が入力されており、複合映像信号に含まれている水平同期信号のレベルを測定して判別する。この水平同期信号のレベルは、映像の明るさによって変化する映像信号とは異なり、常に一定の電圧レベルとなっている。
【００３８】
そこで映像信号判別部３８は、複合映像信号の中の水平同期信号を検出して規定の閾値レベルと比較し、規定値内にあれば正常と判断し、規定値外であれば異常と判断する。映像信号判別部３８には判別結果を表示するための表示部として２色ＬＥＤ３９が接続されている。
【００３９】
２色ＬＥＤ３９は、緑ＬＥＤと赤ＬＥＤを備えており、水平同期信号のレベルが規定値内となる正常判別時には緑ＬＥＤを点灯し、規定外であれば異常と判別して赤ＬＥＤを点灯し、更に同期信号レベルが全くなければ緑ＬＥＤ及び赤ＬＥＤの両方を無点灯とする。
【００４０】
更に制御器９にはＣＰＵ４５が設けられており、映像信号判別部３８で判別した水平同期信号の判別結果即ち映像信号の判別結果はＣＰＵ４５にも与えられている。
【００４１】
また制御器９には居室インターホン１０のモニタ１１に対するＤＣ電源電圧を監視するＤＣ電圧判別部４０が設けられている。ＤＣ電圧判別部４０は居室インターホン１０に対するＤＣ電源部４３からのＤＣ電源電圧が所定のレベルにあるか否か監視しており、規定レベル内にあれば正常と判別し、規定レベル外であれば異常と判別する。
【００４２】
この判別結果を表示するためＤＣ電圧判別部４０に対しては、映像信号判別部３８と同様、表示部として２色ＬＥＤ４１を接続している。２色ＬＥＤ４１は、ＤＣ電源電圧が規定レベル内にあれば正常表示として緑ＬＥＤを点灯し、規定レベル外であれば異常表示として赤ＬＥＤを表示し、更にＤＣ電源電圧がなければ緑ＬＥＤ及び赤ＬＥＤのいずれも点灯しない無点灯となる。このＤＣ電圧判別部４０によるＤＣ電圧の判別結果もＣＰＵ４５に出力されている。
【００４３】
ＣＰＵ４５は、映像信号判別部３８及びまたはＤＣ電圧判別部４０より映像信号異常またはＤＣ電圧異常の判別結果を受けると、制御信号Ｅ１の出力により切替回路３６をａ側からｂ側に切替動作し、同時に文字発生部４８を動作し、異常発生を示すメッセージの文字情報を切替スイッチ３６からモニタ出力端子３７を介して居室インターホン１０のモニタ１１に出力し、更にモニタ制御端子４４を経由してインターホンモニタ強制オン信号Ｅ２を出力してモニタ１１にメッセージ表示を行うようにしている。
【００４４】
このような映像信号レベルの異常もしくはＤＣ電圧の異常の際にモニタ１１に表示されるメッセージとしては、例えば図４のようなメッセージ画面となる。このため居住者はモニタ１１のメッセージ画面を見てテレビインターホン設備に異常があることを認識し、管理人室などに問い合わせて、モニタ１１に映像が映らないなどの異常に対する対応を依頼することができる。
【００４５】
更に制御器９のＣＰＵ４５に対しては試験スイッチ４６が設けられている。試験スイッチ４６は、テレビモニタの異常がメッセージ画面表示などにより分かった場合の点検修理の際にメンテナンス要員が故障箇所を調べる際に操作する。試験スイッチ４６をオン操作すると、ＣＰＵ４５に設けている点検制御部４７が動作する。
【００４６】
点検制御部４７は、制御器９に対しテレビ共聴設備より共聴テレビ信号が正常に来ているかどうかを判定して判定結果を表示する。具体的には、検波回路３５における映像検波用ＩＣよりＡＧＣ回路２８に対し出力される制御用のＡＧＣ電圧を監視する。
【００４７】
即ち、試験スイッチ４６をオン操作するとＣＰＵ４５がメンテナンスモードとなって点検制御部４７を動作し、検波回路３５からＡＧＣ回路２８に出力されているＡＧＣ電圧を読み込み、予め準備しているＡＧＣ電圧とＲＦ入力レベルとの関係を定義した変換テーブルの参照により、読み込んだＡＧＣ電圧に対応したＲＦ入力レベルを求め、この求めたＲＦ入力レベルを、映像信号判別部３８の判別結果及びＤＣ電圧判別部４０の判別結果と共に居室インターホン１０のモニタ１１に文字発生部４８からの文字情報に変換して送って表示させる。
【００４８】
このモニタ１１に対するＲＦ入力レベル及び映像信号とＤＣ電源の判別結果の表示の際にも、制御信号Ｅ１により切替回路３６をｂ側に切り替え、同時にインターホンモニタ強制オン信号Ｅ２によりモニタ１１を駆動して表示させることになる。
【００４９】
図５は、図２のＣＰＵ４５に予め定義されているＡＧＣ電圧と入力ＲＦレベルの変換テーブルの例を図５（Ａ）に示し、この変換テーブルの参照で得られた入力ＲＦレベルは図５（Ｂ）のように、映像信号の判定結果及びＤＣ電源電圧の判定結果と共にモニタ１１に画面表示される。
【００５０】
このモニタ１１に対するメンテナンスモードでのＲＦ入力レベル、映像信号の判定結果及びＤＣ電圧判定結果の表示は、モニタ出力端子３７に破線のように居室テレビ１２に送って表示させてもよい。もちろん居室テレビ１２に表示させる場合には、制御器９からのビデオ信号を表示させるためにビデオ用の画面モードにセットする必要がある。
【００５１】
図６は、図２の制御器９におけるＤＣ電源、映像信号及びＲＦ入力レベルの正常と異常に対する故障箇所の関係をまとめている。図６（Ａ）は、制御器９の表示部のみを使ったＤＣ電源電圧と映像信号の２つの判別結果に対する故障箇所の関係であり、この関係はテレビインターホン設備の運用中に、集合玄関機３から呼び出されたにも係わらずモニタ１１に映像が映らないなどの異常が起きた場合の故障箇所の判定に利用される。
【００５２】
即ち図６（Ａ）において、ＤＣ電圧が正常で映像信号も正常でありながらモニタ１１に映像が映らない場合には、居室インターホン１０に故障があることが判る。またＤＣ電圧が正常で映像信号が異常な場合は、居室インターホン１０の前段即ち制御器９からテレビ共聴設備２を経由して集合玄関のテレビカメラ４までの間に故障箇所があることが判る。更にＤＣ電圧が異常な場合は制御器９そのものに故障があることが判る。
【００５３】
図６（Ｂ）は、テレビインターホン設備の故障に対する修理点検の際に制御器９の試験スイッチ４６をオン操作してＲＦレベルを測定して正常か異常かを判断した場合の故障箇所との関係を示している。
【００５４】
即ち図６（Ｂ）において、ＤＣ電圧が正常で映像信号が異常の場合、図６（Ａ）より居室インターホン１０より前段に故障箇所があることが判るが、更に詳細に故障箇所を判定するためＲＦレベルを測定し、正常か異常かで故障箇所を特定する。
【００５５】
ＲＦレベルが正常であればテレビ共聴設備２に異常はないことから、この場合には集合玄関のテレビカメラ４、カメラコントロールユニット５、映像用変調器６のカメラ装置のいずれかの故障あるいは制御器９における検波回路３５以降の故障箇所であることが判る。
【００５６】
これに対しＲＦレベルが異常であった場合には、テレビ共聴設備２の故障箇所であるか、あるいは制御器９における検波回路３５より前段の回路部の故障であることが判明する。この場合、カメラ装置も故障している可能性があるが、テレビ共聴設備２の故障箇所を判明することが最優先となる。
【００５７】
図７は、図６（Ａ）（Ｂ）の判別結果に基づくメンテナンス時の故障判定の手順を表している。この故障判定の手順は、ステップＳ１で２色ＬＥＤ４１をチェックし、ＤＣ電源電圧が正常か否かチェックする。ＤＣ電源電圧が異常であれば、ステップＳ２のように制御器９の故障が判明する。
【００５８】
ＤＣ電源電圧が正常であればステップＳ３に進み、２色ＬＥＤ３９を見て映像信号が正常か否かチェックする。映像信号が正常であれば、ステップＳ４のように居室インターホン１０の故障が判明する。映像信号が異常であれば、ステップＳ５の居室インターホン１０の前段の故障であることが判明する。
【００５９】
この場合には試験スイッチ４６をオン操作することでモニタ１１に、例えば図５（Ｂ）のようなＲＦ入力レベルの測定結果を表示させる。そしてステップＳ６でＲＦレベルが異常であれば、ステップＳ７のようにテレビ共聴設備または制御器９における検波回路３５の前段が故障箇所と判明する。一方、ＲＦレベルが正常であれば、集合玄関のテレビカメラ４等のカメラ装置または制御器９の検波回路３５以降が故障箇所と判明する。
【００６０】
図８は図２の制御器９に設けているＣＰＵの点検制御部４７のメンテナンスモード処理のフローチャートである。このメンテナンスモード処理は試験スイッチ４６をオン操作することで起動する。まずステップＳ１で映像信号判別部３８の判別結果を読み込み、ステップＳ２でＤＣ電圧判別部４０の判別結果を読み込み、更にステップＳ３で検波回路３５からのＡＧＣ電圧を読み込んで、ステップＳ４で図５（Ａ）のＡＧＣ電圧とＲＦレベルの変換テーブルによりＲＦレベルに変換する。
【００６１】
続いてステップＳ５でインターホン強制オン信号Ｅ２を居室インターホン１０に出力してモニタ１１を動作し、ステップＳ６で映像信号とＤＣ電圧の判定結果及びＲＦレベルの文字情報の出力表示を文字発生部４８に出力し、もちろん制御信号Ｅ１により切替回路３６をｂ側に切り替えた後、これによってモニタ１１に図５（Ｂ）のようなメンテナンスモードの画面表示を行う。
【００６２】
このメンテナンスモードの画面表示は、ステップＳ７で試験スイッチ４６をオフすると、ステップＳ８でインターホン強制オン信号Ｅ２を停止してモニタ駆動をオフし、また文字発生部４８に対する文字情報出力指示を解除して一連の処理を終了する。
【００６３】
なお、上記の実施形態においては、テレビカメラの映像信号をテレビ共聴設備に重畳し、一方、通話信号は専用の通話信号線で行っているが、通話信号についてもテレビ共聴設備に重畳して所定の周波数で住戸まで伝送し、居室に設けている制御器９で通話信号と映像信号を取り出して居室インターホンとの通話を行えるようにしてもよい。
【００６４】
また上記の実施形態はモニタに映像が映らないなどの故障発生時の点検修理を例にとるものであったが、本発明のテレビインターホン設備の施工時についても同様にして設備の状態が正常か異常かを簡単に確認することができる。
【００６５】
また、上記の実施形態はＲＦレベルが正常か判断するために、ＡＧＣ電圧を監視しているが、これに限らず、例えばＲＦレベルを取り込んで直接電圧に変換したり、ＲＦレベルを検波した後に電圧に変換するなどして正常かどうか判断する構成でも良い。
【００６６】
また、本実施形態においては、制御器９に映像信号、ＤＣ電圧のレベルの判定結果を表示する２つのＬＥＤを設けているが、映像信号のレベルを表示する１つのＬＥＤのみを設けても良い。これはＤＣ電圧が異常のときは映像信号レベル表示用ＬＥＤが消灯するから、１つのＬＥＤで、映像信号レベルとＤＣ電圧レベルの両方を監視できるからである。
【００６７】
更に、本実施形態においては、ＲＦレベルの測定結果を居室インターホンのモニタに表示しているが、制御器に設けた表示部に表示させても良い。結果表示は数値ではなく、正常か異常かが表示するようにしても良い。更に、ＲＦレベルの測定は、試験スイッチの操作で行っているが、これに限らず、常時測定してその結果を制御器に表示するようにしても良い。
【００６８】
また本発明はその目的と利点を損なわない適宜の変形を含み、更に上記の実施形態に示した数値による限定は受けない。
【００６９】
【発明の効果】
以上説明してきたように本発明によれば、少なくとも各住戸の制御器にモニタ用の映像信号の判定部を設けたことで、モニタに映像が映らない場合、故障箇所が居室インターホンにあるか居室インターホンより前段の制御器からテレビ共聴設備を経由して集合玄関のテレビカメラに至る側にあるかが容易に判明する。
【００７０】
更に制御器に入力しているＲＦレベルを測定して表示することで、故障箇所が居室インターホンより前段にある場合、ＲＦレベルが正常であれば集合玄関のテレビカメラ装置あるいは制御器の故障が判明し、ＲＦレベルが異常であればテレビ共聴設備あるいは制御器が故障箇所と判明し、更に詳しい故障箇所を容易に知って適切な修理対策を取ることができる。
【００７１】
また施工時やメンテナンス時にレベル測定器を持ち込まなくとも、居室の制御器及びモニタ表示を利用して、映像信号、ＤＣ電圧、更にＲＦ入力の各種の信号レベルの確認が容易にできる。
【図面の簡単な説明】
【図１】本発明によるテレビインターホン設備の説明図
【図２】各住戸に設置される制御器の回路ブロック図
【図３】図２の制御器で復調された複合映像信号の説明図
【図４】映像信号異常判定時のモニタ表示の説明図
【図５】ＡＧＣ電圧／ＲＦレベルの変換テーブルと点検スイッチ操作時のモニタ表示の説明図
【図６】異常原因と故障箇所の対応関係の説明図
【図７】メンテナンスの際に行なう本発明の故障判定手順のフローチャート
【図８】保守スイッチの操作によりＣＰＵが実行するメンテナンスモード処理のフローチャート
【符号の説明】
１：テレビインターホン設備
２：テレビ共聴設備
３：集合玄関機
４：テレビカメラ
５：カメラコントロールユニット（ＣＣＵ）
６：映像用変調器
７：同軸ケーブル
８：直列ユニット
９、１５：制御器
１０：居室インターホン
１１：モニタ
１２：テレビ
１３：玄関子機
１４：管理室親機
１６：ＵＨＦアンテナ
１７：ＶＨＦアンテナ
１８、１９：混合器
２０：ブースタ
２１、２３：分配器
２２：ＲＦ入力端子
２４：ＲＦ出力端子
２５、３２：バンドパスフィルタ（ＢＰＦ）
２６：アッテネータ（ＡＴＴ）
２７：広帯域アンプ
２８：ＡＧＣ回路
２９：混合器
３０：発振器
３１：ＰＬＬ
３４：ＳＡＷフィルタ
３５：検波回路
３６：切替回路
３７：モニタ出力端子
３８：映像信号判別部
３９：２色ＬＥＤ（映像信号表示部）
４０：ＤＣ電圧判別部
４１：２色ＬＥＤ（ＤＣ電源電圧表示部）
４２：電源回路
４３：ＤＣ電源
４４：モニタ制御端子
４５：ＣＰＵ
４６：試験スイッチ
４７：点検制御部
４８：文字発生部
【図１】
0004435402.tif 000002
【図２】
0004435402.tif 000003
【図３】
0004435402.tif 000004
【図４】
0004435402.tif 000005
【図５】
0004435402.tif 000006
【図６】
0004435402.tif 000007
【図７】
0004435402.tif 000008
【図８】
0004435402.tif 000009